(57)【特許請求の範囲】
【請求項１】
下面側に開口部を有した外箱と、少なくとも底板、両側板及び背板を有するとともに底板から下方に突出する取手を有し、前記外箱内に収納された位置と該外箱の開口部から突出した位置との間を昇降自在とされた収納棚とを備えた昇降収納装置であって、
前記取手が、前記底板から下方に略垂直に突出した操作位置と前記底板に近接させた収納位置とで前記両側板に対して回動自在に保持されていることを特徴とする昇降収納装置。
【請求項２】
請求項１において、
前記取手は、前記両側板にそれぞれ回動自在に支持される一対の連結部材と、この一対の連結部材間に接続された取手本体とを備え、
前記連結部材に係止部を設けるとともに前記両側板に前記係止部が係止される被係止部を設け、前記係止部が被係止部に係止されることで前記操作位置及び前記収納位置で取手本体が保持されることを特徴とする昇降収納装置。
【請求項３】
請求項２において、
前記連結部材は、前記取手本体と該取手本体内に設けられた連結パイプとを保持するパイプ台座部と、前記連結パイプと締結され前記取手本体の操作により前記連結パイプを介して回転する回転リンクと、前記回転リンクと連動するように締結されたリンク連結バーと、前記パイプ台座部の回動を規制するストッパ連結部材とを備え、
前記取手は、前記操作位置では前記パイプ台座部の上端部に形成された凹状部と前記ストッパ連結部材の下端部とが嵌合するとともに、前記回転リンクが回転して位置を変えることで前記リンク連結バーが上方に押し上げられ、前記ストッパ連結部材と前記凹状部との嵌合が解除され、前記収納位置に回動するように保持されていることを特徴とする昇降収納装置。
【請求項４】
請求項２または請求項３において、
前記被係止部は、バネ性を有した材質からなり、
前記係止部は、前記被係止部に押し当てられた状態で係止されることを特徴とする昇降収納装置。
【発明の詳細な説明】
【技術分野】
【０００１】
本発明は、外箱と収納棚とを備えた昇降収納装置に関する。
【背景技術】
【０００２】
従来より、キッチンスペース等の高所に取り付けられる外箱と、この外箱内に収納させた位置と該外箱の下面側の開口から下方に突出させた位置との間を昇降自在とされた収納棚とを備えた昇降収納装置が知られている。このような昇降収納装置は、収納棚の下方に取手を設け、この取手を持って収納棚の昇降が行えるよう構成されている。
例えば下記特許文献１（特開２００３−９９６１号公報）には、収納棚の下方中央に操作ハンドル（以下、取手という）が設けられた昇降収納装置が開示されている。
【先行技術文献】
【特許文献】
【０００３】
【特許文献１】特開２００３−９９６１号公報
【発明の概要】
【発明が解決しようとする課題】
【０００４】
しかしながら、特許文献１に開示されている取手は収納棚の下方から突出して固定された状態で設けられているため、外箱内に収納棚を収納すると、取手が外箱から突出し、見栄えが悪い。昇降収納装置の設置場所によっては、取手が邪魔になる場合もある。
そこで、外箱内に収納棚とともに取手も隠れるように収納することが考えられるが、この場合は、取手を収納するスペースが必要となる
【０００５】
本発明は、上記実情に鑑みてなされたものであり、不使用時の取手が邪魔にならず、見栄えのよい昇降収納装置を提供することを目的としている。
【課題を解決するための手段】
【０００６】
上記目的を達成するために、本発明に係る昇降収納装置は、下面側に開口部を有した外箱と、少なくとも底板、両側板及び背板を有するとともに底板から下方に突出する取手を有し、前記外箱内に収納された位置と該外箱の開口部から突出した位置との間を昇降自在とされた収納棚とを備えた昇降収納装置であって、前記取手が、前記底板から下方に略垂直に突出した操作位置と前記底板に近接させた収納位置とでそれぞれ前記両側板に対して回動自在に保持されていることを特徴とする。
【０００７】
また本発明において、前記取手は、前記両側板にそれぞれ回動自在に支持される一対の連結部材と、この一対の連結部材間に接続された取手本体とを備え、前記連結部材に係止部を設けるとともに前記両側板に前記係止部が係止される被係止部を設け、前記係止部が被係止部に係止されることで前記操作位置及び前記収納位置で取手本体が保持されるようにしてもよい。
さらに本発明において、前記連結部材は、前記取手本体と該取手本体内に設けられた連結パイプとを保持するパイプ台座部と、前記連結パイプと締結され前記取手本体の操作により前記連結パイプを介して回転する回転リンクと、前記回転リンクと連動するように締結されたリンク連結バーと、前記パイプ台座部の回動を規制するストッパ連結部材とを備え、前記取手は、前記操作位置では前記パイプ台座部の上端部に形成された凹状部と前記ストッパ連結部材の下端部とが嵌合するとともに、前記回転リンクが回転して位置を変えることで前記リンク連結バーが上方に押し上げられ、前記ストッパ連結部材と前記凹状部との嵌合が解除され、前記収納位置に回動するように保持されているものとしてもよい。
そして本発明において、前記被係止部は、バネ性を有した材質からなり、前記係止部は、前記被係止部に押し当てられた状態で係止されるようにしてもよい。
【発明の効果】
【０００８】
本発明に係る昇降収納装置によれば、不使用時の取手が邪魔にならず、見栄えのよいものとすることができる。
【図面の簡単な説明】
【０００９】
【図１】本発明の一実施形態に係る昇降収納装置の取手の構造を概略的斜視図である。一部は説明のため露出した状態で示している。
【図２】同昇降収納装置の概略的斜視図である。
【図３】同昇降収納装置の取手の構造を説明するための概略的分解斜視図である。
【図４】（ａ）、（ｂ）は、同昇降収納装置の取手の操作位置及び収納位置における動作状態を説明するための概略的側面図ある。
【発明を実施するための形態】
【００１０】
以下に本発明の実施の形態について、図面に基づいて説明する。
本実施形態に係る昇降収納装置１は、例えばキッチンスペース等の天井際等の高所に取り付けられる外箱２と、食器や調理器具等の収納物が収納され底板３２から下方に突出する取手４を有した収納棚３とを備えている。
本実施形態に係る昇降収納装置１は、取手４が、底板３２から下方に略垂直に突出した操作位置（図１、図２、図４（ａ）参照）と底板３２に近接させた収納位置（図４（ｂ）参照）とで収納棚３の両側板３１，３１に対して回動自在に保持されている。
以下、詳しく説明する。
【００１１】
外箱２は、図２に示すように、天板２０と左右の両側板２１，２１と背板（不図示）と前板２２とによって箱形状とされ、下面側に下向きに開口した開口部２３を有している。ここでは、外箱２に設けられる前板２２を備えた例を図示しているが、この前板２２はなくてもよい。また前板２２は、左右の側板２１，２１の手前下端部間に架け渡されるように設けられた幕板としてもよいし、前面側にも前方に向けて開口した開口部を有し、この開口部を開閉自在に覆う開閉扉としてもよい。さらに開閉自在とされた開閉扉に代えて、引き違いの引戸等を開閉扉として設けるようにしてもよいし、前板２２の前面側を化粧面とされた化粧前板によって覆うようにしてもよい。
【００１２】
収納棚３は、図２に示すように、天板（不図示）と左右の側板３１，３１と背板（不図示）と底板３２とによって前面側に開口する開口部３０を有した箱形状とされている。この収納棚３は、外箱２内に収納された収納位置（不図示）と外箱２の開口部２３から突出した下降位置（図２参照）との間を昇降自在とされている。また、この収納棚３には、収納棚３を昇降させる際に操作される取手４が底板３２から下方に突出するように設けられている。取手４は、両側板３１，３１のそれぞれ回動自在に支持される一対の連結部材４１，４１と、この一対の連結部材間４１，４１に横向きに接続された取手本体４０とを有している。
なお、収納棚３としては、線状部材からなるラック状のものを内部に設けてもよいし、棚板や網状のラックを設けたものとしてもよい。ロック解除手段７については、後に詳しく説明する。図２における４１ａ、４１ｂは、連結部材４１を構成する機構を覆うカバー部材である。
【００１３】
収納棚３の高さ寸法は、外箱２内に収容された状態において、外箱２の内側空間の高さ方向の略全体に亘って納まるよう該内側空間の高さ寸法よりも僅かに小さい寸法とされている。また、この収納棚３の奥行寸法（前後方向の寸法）は、外箱２の背板及び前板２２によって区画された前後方向の寸法よりも僅かに小さい寸法とされている。また、この収納棚３の幅寸法（左右方向の寸法）は、外箱２の左右の側板２１，２１の内側のそれぞれに設置された吊下昇降機構ユニット（不図示）間に納まるような寸法とされている。
【００１４】
吊下昇降機構ユニットは、収納棚３を外箱２に対して上下方向に昇降自在に案内するとともに吊り下げる吊下昇降機構部として機能する。これら吊下昇降機構ユニットは、収納棚３が収納された状態における収納棚３の左右の側板３１，３１の外面３１ｂと外箱２の左右の側板２１，２１の内面との間の空間にそれぞれ配設されている。これら吊下昇降機構ユニットは、左右一対とされ、略同様の構成とされている。
これら吊下昇降機構ユニットは、収納棚３の昇降を案内する昇降案内部６（図２参照）と、収納棚２０を吊り下げる吊下機構部（不図示）とをそれぞれに備えている。
図中、６ａはガイドレールであり、複数のスライド部材と組み合わせて構成され、上記したように収納棚３が上述の収納位置と下降位置との間を昇降し得るように構成されている。
吊下機構部の構成は特に限定されるものではない。例えば、外箱２の左右の側板２１，２１の内面２１ａのそれぞれに配設され、収納棚３を外箱２に対して吊り下げる紐状部材としての吊下ベルト（帯状部材）を巻装した巻取ドラムをそれぞれに備えたものとしてもよい。
ガイドレール６ａ等のスライド部材には、収納位置から上方への収納棚３の移動及び下降位置から下方への収納棚３の移動を抑制乃至は防止するクッション部材やストッパ部材を設けるようにしてもよい。
【００１５】
図２には、収納棚３の収納位置及び下降位置を保持するストッパ部材５を設けた例を示している。ストッパ部材５は収納棚３を昇降させないときには、収納位置、あるいは下降位置などの所定位置で収納棚３が停止するように構成されている。したがって、この収納棚３は停止したまま動かない状態（ロック状態）を解除するために取手４には、ロック解除手段７が設けられている。
ストッパ部材５の構成は、特に限定されるものではないが、収納棚３の両側板３１，３１の外面３１ｂには、出没自在に構成されたストッパ凸部を有したストッパ部材５を設けたものとしてもよい。そして外箱２の両側板２１，２１の内面に、突出した状態のストッパ凸部を係止する凹部が設け、取手４に設けられたロック解除手段７によってストッパ凸部と凹部との係止状態、すなわちロック状態を解除するようにしてもよい。したがって、この場合は図２に示すように後記するストッパ連結部材４６がストッパ部材５が突き出て設けられた操作中継部材５０と連結され、ロック解除手段７の動作と連動するように構成される。
なお、ロック解除手段７もストッパ部材５と同様にその構成は限定されるものではないが、図ではその一例を示している。
【００１６】
次に取手４の構造について説明する
取手４は、収納棚３の左右の両側板３１，３１にそれぞれ回動自在に支持される一対の連結部材４１，４１と、この一対の連結部材４１，４１間に接続された取手本体４０とを備えている。
連結部材４１，４１は、取手本体４０と取手本体４０内に設けられた連結パイプ７４とを保持するパイプ台座部４２と、連結パイプ７４と締結され取手本体４０の操作により連結パイプ７４を介して回転する回転リンク４３とを有している。また連結部材４１，４１は、回転リンク４３と連動するように締結されたリンク連結バー４７と、パイプ台座部４２の回動を規制するストッパ連結部材４６とを備えている。
取手４は、操作位置ではパイプ台座部４２の上端部に形成された凹状部４２ｃとストッパ連結部材４６の下端部４６ｃとが嵌合するように保持されている。また取手４は、回転リンク４３が回転して位置を変えることでリンク連結バー４７が上方に押し上げられ、ストッパ連結部材４６と凹状部４２ｃとの嵌合が解除され、収納位置に回動するように保持されている。
なお、図１、図３、図４は、各機構を説明するため、連結部材４１のカバー部４１ａ，４１ｂ（図２参照）の図示を省略している。
【００１７】
そして、図例の取手４は、ストッパ部材５と連動し収納棚３のロック状態を解除するロック解除手段７を有している。
ロック解除手段７は、取手４の取手本体４０に形成されている。取手本体４０は中空円筒のパイプからなり、その両端に内装されるパイプ保持部７５で保持されるとともに、その中央部位は切りかかれ（図３参照）、その切り欠き部位にレバー７０が設けられている。レバー７０は、下方に設けた圧縮バネ（不図示）により常時上方に付勢力が働いており、レバーカバー７１と干渉して保持されている。レバー７０は、連結パイプ７４を回動可能な状態に保持する軸受部７３にて上下にスライド可能な状態に保持されている。
【００１８】
取手本体４０内には、棒状の連結パイプ７４が設けられ、連結パイプ７４のレバー７０側端部はレバートリガ７２、他端部は回転リンク４３が締結されている。連結パイプ７４は、連結パイプ７４を回動可能な状態に保持する円筒状の軸受部７３と、レバー７０が使用者の手によって握られて下方向にスライドすると干渉して連結パイプ７４を中心として回転するレバートリガ７２とを備えている。連結パイプ７４は、レバー７０に加えられる押圧
【００１９】
連結部材４１は、収納棚３の両側板３１，３１の下端部に取り付けられた略方形状で薄板体の台座ベース４４に取り付けられている。台座ベース４４の下側角部には、バネ性を有した樹脂材料等からなり略方形状のパイプ台座保持部材４５が設けられる。また台座ベース４４の所定位置（図例では下方側略中央）には、パイプ台座部４２を回動自在に保持するための留め具が挿通される貫通孔４４ａが形成されている。
パイプ台座保持部材４５は、台座ベース４４の下側角部の一角に取り付けられる。パイプ台座保持部材４５には、後記する係止部４２ｄ，４２ｅを係止する被係止部４５ａが突出して形成されている。被係止部４５ａは、収納棚３の側板３１の外面３１ｂへの取り付け状態において奥側の側端部の略中央に形成されている。
被係止部４５ａの近傍には上下方向に縦長の溝部４５ｂが形成されている。これは、係止部４２ｄ、４２ｅが押し当てられた状態で被係止部４５ａに係止される際にかかる押圧力を分散させるとともに、被係止部４５ａが係止部４２ｄ、４２ｅ方向へ弾性反力を与えるように作用する。
【００２０】
パイプ台座部４２は、薄状のプレート体からなり、その下端部は取手本体４０と取手本体４０内に設けられた連結パイプ７４が保持され、その他端部は、台座ベース４４に回動自在な状態に取り付けられている。パイプ台座部４２の上端部には、パイプ台座部４２の回動中心となり台座ベース４４に保持される留め具が挿通される貫通孔４２ａが形成されている。またパイプ台座部４２の上端縁は凹状部４２ｃが形成されている。
パイプ台座部４２には、係止部４２ｄ，４２ｅが複数形成されており、パイプ台座保持部材４５に形成された被係止部４５ａに係止されるように形成されている。具体的には、図例のものは係止部４２ｄ，４２eが２箇所に突出して形成されている。組み付け状態において、上端部に形成された第１の係止部４２ｄは、凹状部４２ｃの近傍に形成されている。またもうひとつの第２の係止部４２ｅは、第１の係止部４ｄからパイプ台座保持部材４５側の側部に形成されている。第１の係止部４２ｄと第２の係止部４２ｅとの間は、角部のない湾曲面４２ｆに形成され、パイプ台座部４２がパイプ台座保持部材４５に押し当てられながらスムーズに回動するように構成されている。
【００２１】
回転リンク４３は、連結パイプ７４と締結されており、取手本体４０に設けられたロック解除手段７を操作することにより連結パイプ７４を介して回転する。具体的には、レバー７０が下方向にスライドすると、レバートリガ７２が回転し、連結パイプ７４を介して回転リンク４３が回転するよう構成されている。そして回転リンク４３のパイプ台座部４２との連結部位は、レバー７０の動きを伝えるための回転中心を構成している。
ストッパ連結部材４６は、平板の棒状に形成され、上端部は上述の操作中継部材５０と連結されている。ストッパ連結部材４６の下端部４６ｃはパイプ台座部４２の凹状部４２ｃに嵌合するように形成されており、下端部４６ｃと凹状部４２ｃとが嵌合することにより、パイプ台座部４２の回動を停止するよう規制する。ストッパ連結部材４６の下方には、リンク連結バー４７の鉤状上端部４７ａが引掛けられる突起部４６ｂが設けられている。
【００２２】
リンク連結バー４７は、平板体からなり、その上端部側は略直角に曲がった鉤状上端部４７ａとされ、下端部４７ｂは回転リンク４３と回転・スライド自在に締結されている。したがって、操作者によるレバー７０の押圧操作によって回転リンク４３が回転するとリンク連結バー４７は下方にスライドするとともに、鉤状上端部４７ａに引っ掛けられたストッパ連結部材４６も下方にスライドする。そしてストッパ連結部材４６と連結している操作中継部材５０も下方にスライドすることとなり、ロック解除操作がなされることとなる。
【００２３】
次に取手４の操作位置及び収納位置の回動操作について、図１及び図４を参照しながら、説明する。
まず図１は、取手４が操作位置に配置され昇降操作をしても動かないように保持されている状態を示している。
図１には収納棚３の操作者の手は示していないが、操作者がロック解除手段７のレバー７０を握り、レバー７０を押し下げると、回転リンク４３が手前方向に回動しながら位置を変え、これによりリンク連結バー４７は下方にスライドする（図４（ａ）の状態から図１の状態へ位置を変える）。するとストッパ連結部材４６もリンク連結バー４７によって押し下げられ、凹状部４２ｃにストッパ連結部材４６の下端部４６ｃが嵌合する。
この凹状部４２ｃと下端部４６ｃとの嵌合により、取手４が操作位置に配置された状態では、取手本体４０を底板３２に近接させた収納位置に格納することができない。このとき、収納棚３はロック解除手段７によってロック状態が解除され昇降自在な状態にあり、第２の係止部４２ｅが被係止部４５ａに押し当てられた状態で係止されている。
これによれば、収納棚３のロック状態を解除する操作が取手４を握るだけで行うことができるとともに、収納棚３の昇降操作を行う際に取手４が収納位置に倒れしまうことを防止できるので、操作性のよい昇降収納装置とすることができる。
【００２４】
図４（ａ）も、図１と同様に取手４が操作位置に配置されている状態を示しているが、この図に示す状態では、収納棚３はロック状態にあるため、収納棚３の昇降操作はできない。
操作者がレバー７０から手を離すと、レバー７０の下方に設けられた圧縮バネの付勢力により、レバー７０が下降状態からもとの位置へもどる。このとき、ストッパ連結部材４６は、リンク連結バー４７に引掛けられて連結されているので、回転リンク４３が回動しながら位置を変え、これにより回転し、リンク連結バー４７を押し上げられると、これに連動してストッパ連結部材４６が上方にスライドする。そして、凹状部４２ｃとストッパ連結部材４６の嵌合が解除され、パイプ台座部４２及びリンク連結バー４７の自重で図４（ａ）に示すように連結部材４１を底板３２から下方に略垂直に突出した状態（起立状態）で保持できる。これにより、取手４を収納位置に回動し格納できる状態になる。
なお、このとき、第２の係止部４２ｅは被係止部４５ａに押し当てられた状態で係止されている。
【００２５】
図４（ｂ）は、取手４を底板３２に近接させた収納位置へ格納した状態を示している。
操作者は、図４（ａ）に示す状態の取手本体４０を持って取手本体４０を底板３２へ近接させる方向へ移動させいく。すると、パイプ台座部４２が回動して第２の係止部４２ｅと被係止部４５ａの係止関係が解除され、第２の係止部４２ｅは被係止部４５ａを乗り越えて移動する。このとき、収納棚３はロック状態にあり、被係止部４５ａには湾曲面４２ｆが押し当てられた状態となる。そして第１の係止部４２ｄを被係止部４５ａまで移動させ、第１の係止部４２ｄが被係止部４５ａを乗り越えると、第１の係止部４２ｄが被係止部４５ａの突出部分の下方から斜め手前側上方向に向かって押し当てられた状態で係止される。
これによれば、第１の係止部４２ｄは、強く被係止部４５ａに押し当てられ、被係止部４５ａの弾性反力を受けて互いが強固な係止関係となり、取手４の収納位置へ格納した状態を保持することができる。
また、操作者は、第１の係止部４２が被係止部４５ａを乗り越えた感触（クリック感）を感じることができ、取手４が収納位置まで格納されたと判断することができる。
【００２６】
なお、収納位置から操作位置へ取手４を引き出す操作は上述の逆の操作を行えばよく、操作者は、図４（ｂ）の状態の取手本体４０を持って手前に引き出せばよい。そして取手４を図４（ａ）の状態まで引き出して、取手４を操作位置に配置し、ロック解除手段７を操作すれば、取手４が格納方向へ倒れることのない状態で収納棚３の昇降を行うことができる。
【００２７】
以上、本実施形態に係る昇降収納装置１、取手４、連結部材４１、台座ベース４４、パイプ台座保持部材４５等の形状、構成は図例に限定されるものではない。また収納棚３のストッパ部材５によるロック機構、ロック解除手段７の構成も図例に限定されるものではなく、上述の構成は一例にすぎず、連結部材４１の取り付け構造も図例に限定されるものではない。さらに昇降収納装置１は、キッチンのフロアキャビネット等の上方の壁面に設けられ、収納庫として使用されるものとしてもよいし、食器乾燥庫に適用されたものとしてもよい。そしてキッチンに設置される昇降収納装置１に限定されずリビングなどに設置されるものであってもよいことは言うまでもない。
なお、一部の図では、他図に付している詳細な符号の一部を省略している。
【符号の説明】
【００２８】
１      昇降収納装置
２      外箱
３      収納棚
３１      側板
４      取手
【図１】
0005536629.tif 000002
【図２】
0005536629.tif 000003
【図３】
0005536629.tif 000004
【図４】
0005536629.tif 000005